(57)【特許請求の範囲】
【請求項１】
対向する内壁の一方の壁に一端部が接するよう洗面台が設置され、
この洗面台の他端部に、この洗面台の奥行きと略同じ幅の収納家具が設けられ、この収納家具の天板と棚板の少なくとも一方が前記対向する内壁の少なくとも一方に延出して設置されている洗面所であって、
前記収納家具は、前記洗面台の奥側に位置する側板と、前記洗面台の前側に位置する側板と、これら側板の上下に固定される天板並びに底板と、前記洗面台の前側に位置する側板を取り外した場合にこの側板に代わって上下の天板並びに底板を保持する２本の棒状部材と、前記天板と前記底板との間に配置される複数の平板形状をした棚板とを主体として構成され、
前記天板は、天板本体と接合板とから構成される天板と、この天板から延出されるような形態で一端が天板と着脱可能に接合され、他端が前記内壁に着脱可能に接合される延出天板とを備え、
かつ、前記棚板は、前記底板と略同じ大きさをした棚板と、この棚板から延出されるような形態で一端が棚板と着脱可能に接合され、他端が前記内壁もしくは吊り下げ部材に着脱可能に接合される延出棚板とを備え、
さらに、前記棚板の少なくとも一つは、対向する内壁の少なくとも一方に延出して設置され、かつ前記洗面台の奥行方向に狭い幅を有する部分と、前記洗面台の前側に突出する幅を有する延出部を備えたＬ字型をしており、このＬ字型をした棚板は、前記２本の棒状部材が組み合わされたときに、前記延出部が前記棒状部材の間に挟まれるようにして固定されることを特徴とする洗面所。
【請求項２】
請求項１に記載の洗面所において、
前記延出天板または前記延出棚板の端部は前記内壁に設けられた支持材で支持されていることを特徴とする洗面所。
【請求項３】
請求項１又は２に記載の洗面所において、
前記延出棚板の幅は、前記棚板の幅より、前記洗面台の奥行方向に狭いことを特徴とする洗面所。
【発明の詳細な説明】
【技術分野】
【０００１】
本発明は、洗面所に関する。
【背景技術】
【０００２】
従来、洗面所は、洗面台と、その洗面台に隣接する洗濯機用防水パンとの間に立設される間仕切り収納体であって、洗面台方向へ開口する洗面台側収納部と、この洗面台側収納部とは高さ方向において異なる部位に設けられ、洗濯機側へ開口する洗濯機側収納部とを備えていた。洗濯機用防水パン上方に設けられる棚板は、その長さ方向の壁面部側端部をこの棚板支持部に支持されると共に、長さ方向の一方の洗面台側端部は、洗面台側収納部と洗濯機側収納部との間の挿入空隙部内に収納配置されていた（特許文献１）。
【先行技術文献】
【特許文献】
【０００３】
【特許文献１】特開平７−１８４７２７号公報
【発明の概要】
【発明が解決しようとする課題】
【０００４】
しかし、洗面台側収納部と洗濯機側収納部との間の挿入空隙部内に棚板が収納配置される構造であるため、１枚の棚板を設けるのに２つの収納部が必要である。一方、洗面所において、洗濯機上方に設けられる棚板だけでなく、バリエーションに富んだ収納スペースを確保することが望まれているが、前記従来の洗面所では、バリエーションに富んだ収納スペースを確保するのは容易ではなかった。
【０００５】
本発明は、バリエーションに富んだ収納スペースを容易に確保することができる洗面所を提供することを目的とする。
【課題を解決するための手段】
【０００６】
上記課題の少なくとも一つを解決するために、請求項１に記載の洗面所１００係る発明は、例えば、図１〜図４に示すように、
対向する内壁１ａ，１ｂの一方の壁に一端部が接するよう洗面台１０が設置され、
この洗面台１０の他端部に、この洗面台１０の奥行きと略同じ幅の収納家具３０が設けられ、この収納家具３０の天板３１と棚板３３，３４，３５の少なくとも一方が前記対向する内壁１ａ，１ｂの少なくとも一方に延出して設置されている洗面所１００であって、
前記収納家具３０は、前記洗面台１０の奥側に位置する側板３６ｂと、前記洗面台１０の前側に位置する側板３６ａと、これら側板３６ｂ，３６ａの上下に固定される天板３１並びに底板と、前記洗面台１０の前側に位置する側板３６ａを取り外した場合にこの側板３６ａに代わって上下の天板３１並びに底板を保持する２本の棒状部材３８と、前記天板３１と前記底板との間に配置される複数の平板形状をした棚板３３，３４，３５とを主体として構成され、
前記天板３１は、天板本体３１ａと接合板３１ｂとから構成される天板と、この天板３１から延出されるような形態で一端が天板３１と着脱可能に接合され、他端が前記内壁１ａ，１ｂに着脱可能に接合される延出天板３２ａ，３２ｂとを備え、
かつ、前記棚板は、前記底板と略同じ大きさをした棚板３４と、この棚板３４から延出されるような形態で一端が棚板３４と着脱可能に接合され、他端が前記内壁１ｂもしくは吊り下げ部材３７に着脱可能に接合される延出棚板３４ｂとを備え、
さらに、前記棚板の少なくとも一つは、対向する内壁１ａ，１ｂの少なくとも一方に延出して設置され、かつ前記洗面台１０の奥行方向に狭い幅を有する部分と、前記洗面台の前側に突出する幅を有する延出部を備えたＬ字型をしており、このＬ字型をした棚板３４ａは、前記２本の棒状部材３８が組み合わされたときに、前記延出部が前記棒状部材３８の間に挟まれるようにして固定されることを特徴とする。
ここで、「洗面台１０の他端部に、この洗面台１０の奥行きと略同じ幅の収納家具３０が設けられ」とは、収納家具３０が、洗面台１０の他端部の上面に設置されるか、または、洗面台１０横の床上に当該洗面台１０の他端部に接した状態で設置されることを意味する。
【０００７】
請求項１に記載の発明によれば、前記収納家具３０の天板３１または棚板３３，３４，３５の少なくとも一方が前記対向する内壁の少なくとも一方に延出して設置されているので、バリエーションに富んだ収納スペースを確保することができる。
【００１０】
請求項２に記載の発明は、例えば、図１〜図４に示すように、
請求項１に記載の洗面所１００，１００ａ，１００ｂにおいて、
前記延出天板３２ａ，３２ｂまたは前記延出棚板３４ｂの端部は前記内壁１ａ，１ｂに設けられた支持材４０で支持されていることを特徴とする。
【００１１】
請求項２に記載の発明によれば、前記延出天板３２ａ，３２ｂまたは前記延出棚板３４ｂの端部を内壁１ａ，１ｂに設けられた支持材４０で支持するので、幅広の天板３２ａ，３２ｂまたは棚板３４ｂの荷重をしっかり支えることができる。
【００１２】
請求項３に記載の発明は、例えば、図１〜図４に示すように、
請求項１又は２に記載の洗面所１００において、
前記延出棚板３４ｂの幅は、前記棚板３４の幅より、前記洗面台１０の奥行方向に狭いことを特徴とする。
【００１３】
請求項３に記載の発明によれば、延出している棚板３４ｂの下方に床面に洗濯機２０を置いた場合に、当該棚板３４ｂの幅が狭くなっているので、上方に開く蓋を有する洗濯機２０に容易に洗濯物を出し入れできるとともに、洗濯機２０の蓋が棚板３４ｂと干渉することがなく、使い勝手がよい。
【発明の効果】
【００１６】
本発明によれば、バリエーションに富んだ収納スペースを確保することができる洗面所ことができる。
【図面の簡単な説明】
【００１７】
【図１】本発明に係る洗面所の一例を示す図であり、（ａ）は正面図、（ｂ）は平面図、（ｃ）は右側面図、（ｄ）は左側面図、（ｅ）は図１（ｄ）のＡ−Ａ断面図、（ｅ）は図１（ａ）のＡ部拡大図である。
【図２】同、（ａ）は延設された天板が洗面台上に設置されている洗面所、（ｂ）は洗濯機上に延設された天板が設置されている洗面所、（ｃ）は洗面台と洗濯機上に延設された天板が設置されている洗面所、（ｄ）は洗濯機上に延設された天板と延設された棚板が設置されている洗面所を示す図である。
【図３】同、棚板が前方に延出する例を示す洗面所の斜視図である。
【図４】同、棚板の設置例を示す図である。
【図５】同、棚板の設置例の変形例を示す図である。
【発明を実施するための形態】
【００１８】
以下、図面を参照して本発明の実施の形態について説明する。
【００１９】
＜第１の実施の形態＞
図１において、洗面所１００は、内壁１ｃと、内壁１ｃと接合されている内壁１ａ，１ｂとを有する平面視コ字形の内壁の内側に設けられている。
この洗面所１００には、対向する内壁１ａ，１ｂの一方の壁に一端部が接するよう洗面台１０が設置され、洗面台１０の隣には洗濯機２０が設置されている。洗面台１０および洗濯機２０の背面は内壁１ｃに面している。洗面台１０の他端部（洗濯機側）に、この洗面台１０の奥行きと略同じ幅の収納家具３０が設置され、この収納家具３０の天板３１が前記対向する内壁１ａ，１ｂの両方に延出しており、棚板３４が前記対向する内壁１ａ，１ｂの一方（内壁１ｂ）に延出している。
【００２０】
図１に示すように、収納家具３０は、天板３１と天板３１の下に複数の棚板３３，３４，３５とを有し、これらの天板３１と複数の棚板３３，３４，３５とが２枚の側板３６ａ，３６ｂで挟まれて支持されている。棚板３３，３４，３５の形状は、平板形状である。
【００２１】
図１に示す例では、天板３１は、天板本体３１ａと、接合板３１ｂとから構成されている。天板３１から延出されている天板３２ａ，３２ｂの各々は、接合板３１ｂと接合して、天板本体１ａ上に配置され、天板本体１ａとビス３１ｃで固定されている。
【００２２】
図１に示すように、前記延出している天板３２ａ，３２ｂは前記天板３１と着脱可能に接合して構成されている。前記延出している棚板３４ｂは前記棚板３４と着脱可能に接合して構成されている。
ここで、前記延出している天板３２ａ，３２ｂは、前記天板３１に着脱可能に接合されている。つまり、金物、ビス等を適宜用いて、前記延出している天板３２ａ，３２ｂは前記天板３１に着脱可能に接合されている。また、前記延出している棚板３４ｂは前記棚板３４に着脱可能に接合されている。つまり、金物、ビスを適宜用いて、前記延出している棚板３４ｂが前記棚板３４に着脱可能に接合されている。
また、前記延出している棚板３４ｂと前記棚板３４との境界部には、鉛直な仕切板を収納家具３０に任意に設けることができる。鉛直な仕切板を設けない場合には、洗面台１０側と洗濯機２０側の両方の開口から棚板３４ｂと前記棚板３４上にユーザの手が届く構成とすることができる。なお、境界部において、ビス等で、側板３６ａ，３６ｂに鉛直な仕切板を着脱可能にする構成としてもよい。この場合、ユーザの希望に応じて、鉛直な板を付けたり取り外したりして、バリエーションを楽しむことができる。
【００２３】
図１に示すように、前記延出している天板３２ａ，３２ｂおよび棚板３４ｂの端部は前記内壁１ａ，１ｂに設けられた支持材４０で支持されている。支持材４０は、円柱状の部材であり、天板３２ａ，３２ｂまたは棚板３４ｂの端部にそれぞれ２個水平に離間して設けられ、円柱状の部材の周面で天板３２ａ，３２ｂまたは棚板３４ｂの端部を下方から支持し、円柱状の部材の円形平面部分が内壁１ａ，１ｂに接してビス止めされている。
【００２４】
洗濯機２０の蓋を上方に開ける際に、前記延出している棚板３４ｂが洗濯機の蓋と干渉する場合が想定される。この場合、図１に示すように、前記延出している棚板３４ｂの奥行きを、前記棚板３４の奥行きより狭くする。
【００２５】
本実施の形態によれば、前記収納家具３０の天板３１または棚板３３，３４，３５の少なくとも一方が前記対向する内壁の少なくとも一方に延出して設置されているので、バリエーションに富んだ収納スペースを確保することができる。
【００２６】
また、前記延出している天板３２ａ，３２ｂは前記天板３１と着脱可能に接合して構成されているので、バリエーションを楽しむことができる。また、前記延出している棚板３４ｂは前記棚板３４と着脱可能に接合して構成されているので、バリエーションを楽しむことができる。
【００２７】
また、前記延出している天板３２ａ，３２ｂまたは棚板３４ｂの端部を内壁に設けられた支持材４０で支持するので、幅広の天板３２ａ，３２ｂまたは棚板３４ｂの荷重をしっかり支えることができる。
【００２８】
また、洗濯機を置いた場合でも、棚板３４ｂの奥行が狭くなっているので、上方に開く蓋を有する洗濯機を設置した場合でも棚板３４ｂと干渉することがなく、使い勝手がよい。
【００２９】
また、前記天板３２ｂに加えて、より広い収納スペースを前記棚板３４ｂにより確保することができる。
【００３０】
（変形例）
上記第１の実施の形態においては、収納家具３０の天板３１が前記対向する内壁１ａ，１ｂの両方に延出して設置され、棚板３４が前記対向する内壁１ａ，１ｂの一方（内壁１ｂ）に延出して設置されている例について説明したが、これに限られない。なお、変形例においては、上記実施の形態と同じ部材には同一の符号を付し、説明を省略する。
【００３１】
図２（ａ）に示すように、前記天板３１に、延出している天板３２ａを接合し、当該天板３２ａの端部を内壁１ａに当接したうえで、当該端部を支持材４０で支持することによって、洗面台１０上に延出している天板３２ａを設けてもよい。
また、図２（ｂ）に示すように、天板３１に、延出している天板３２ａを接合し、当該天板３２ａの端部を内壁１ｂに当接したうえで、当該端部を支持材４０で支持することによって、延出している天板３２ｂのみを洗濯機２０上に設けてもよい。
さらに、図２（ｃ）に示すように、天板３１に、前記延出している天板３２ａ，３２ｂの両方を接合し、前記延出している棚板が設けられていなくてもよい。また、図２（ｄ）に示すように、天板３１に、前記延出している天板３２ｂを接合し、棚板３４に、前記延出している棚板３４ｂを接合してもよい。
【００３２】
＜第２の実施の形態＞
上記第１の実施の形態においては、収納家具３０の天板３１が前記対向する内壁１ａ，１ｂの両方に延出し、棚板３４が前記対向する内壁１ａ，１ｂの一方（内壁１ｂ）に延出している例について説明したが、これに限られない。なお、本実施の形態においては、上記実施の形態と同じ部材には同一の符号を付し、説明を省略する。
【００３３】
本実施の形態においては、図３に示すように、洗面所１００ａは、窓５１が設けられた外壁１ｄと、外壁１ｄと接合されている内壁１ａ，１ｂとを有する平面視コ字形の内壁の内側に設けられている。
洗面所１００ａには、対向する内壁１ａ，１ｂの一方の壁に一端部が接するよう洗面台１０が設置され、洗面台１０の隣には洗濯機２０が設置されている。
収納家具３０ａでは、天板３１と、天板３１から延出している天板３２ａ，３２ｂが１枚の板で構成されており、この１枚の板が、縦長に配置された複数の柱状部材（棒状部材）３８と、ビス３１ｃでビス止めされて、柱状部材３８が前記１枚の板を支持する構造になっている。また、棚板３４ａがＬ字型であり、この棚板３４ａの一部が前方（手前）に延出している。この場合、棚板３４ａを柱状部材３８で挟んで、棚板３４ａと柱状部材３８とがビス止めされて、柱状部材３８が棚板３４ａを支持する構造になっている。
【００３４】
天板３２ａ，３２ｂと窓５１との間には、天板３２ａ，３２ｂと窓５１が干渉しないように隙間５０が設けられている。また、棚板３４ａと窓５１との間にも、棚板３４ａと窓５１が干渉しないように隙間５０が設けられている。
【００３５】
前記延出している棚板３４ｂは前記棚板３４と１枚板で構成されるか、若しくは、前記延出している棚板３４ｂは前記棚板３４と着脱可能に接合して構成されている。
【００３６】
＜第３の実施の形態＞
上記第１の実施の形態においては、収納家具３０の天板３１が前記対向する内壁１ａ，１ｂの両方に延出して設置され、棚板３４が前記対向する内壁１ａ，１ｂの一方（内壁１ｂ）に延出して設置されている例について説明したが、これに限られない。なお、本実施の形態においては、上記実施の形態と同じ部材には同一の符号を付し、説明を省略する。
【００３７】
本実施の形態においては、図４に示すように、洗面所１００ｂは、内壁１ｃと、内壁１ｃと接合されている内壁１ａ，１ｂとを有する平面視コ字形の内壁の内側に設けられている。
この洗面所１００ｂには、対向する内壁１ａ，１ｂの一方の壁に一端部が接するよう洗面台１０が設置され、洗面台１０の隣には洗濯機２０が設置されている。洗面台１０および洗濯機２０の背面は内壁１ｃに面している。
【００３８】
図４に示すように、収納家具３０ｂでは、棚板３３，３４，３５が前記対向する内壁１ａ，１ｂの少なくとも一方に延出して設置されている。具体的には、棚板３３は、対向する内壁１ａ，１ｂの両側へ延出し、棚板３４は洗濯機２０側へ延出し，棚板３５は洗面台１０側へ延出している。
前記延出している棚板３３ａ，３３ｂ，３４ｂ，３５ａは前記棚板３３，３４，３５と１枚板で構成されるか、若しくは、前記延出している棚板３３ａ，３３ｂ，３４ｂ，３５ａは前記棚板３３，３４，３５と着脱可能に接合して構成されている。棚板の形状は、板状または板の周縁部に物の飛び出しを防止する立上壁が形成されたトレー形状である。
ここで、前記延出している棚板３３ａ，３３ｂ，３４ｂ，３５ａと前記棚板３３，３４，３５とが着脱可能に接合して構成される場合には、金物、ビスを適宜用いて、前記延出している棚板３３ａ，３３ｂ，３４ｂ，３５ａと前記棚板３３，３４，３５を着脱可能に接合することができる。
【００３９】
本実施の形態によると、前記延出している棚板３３ａ，３３ｂ，３４ｂ，３５ａは前記棚板３３，３４，３５と１枚板で構成される場合、現場で接合する手間を省くことができ、または、前記延出している棚板３３ａ，３３ｂ，３４ｂ，３５ａは前記棚板３３，３４，３５と着脱可能に接合して構成されている場合、バリエーションを楽しむことができる。
【００４０】
また、前記延出している棚板３３ａ，３３ｂ，３４ｂ，３５ａと前記棚板３３，３４，３５との境界部には、鉛直な板を収納家具３０，３０ａに任意に設けることができる。鉛直な板を設けない場合には、洗面台１０側と洗濯機２０側の両方の開口から棚板３３ａ，３３ｂ，３４ｂ，３５ａと前記棚板３３，３４，３５上にユーザの手が届く構成とすることができる。なお、境界部において、ビス等で、側板３６ａ，３６ｂ、または、柱状部材３８に鉛直な板を着脱可能にする構成としてもよい。この場合、ユーザの希望に応じて、鉛直な板を付けたり取り外したりして、バリエーションを楽しむことができる。
【００４１】
また、図４に示すように、前記延出している棚板３４ｂの端部が、内壁１ｂの手前まで延設されている場合は、支持材４０の代わりに、チェーンやロープなどの吊り下げ部材３７を適宜使用して、前記天板３２ｂから吊り下げてもよい。
【００４２】
また、図５に示すように、前記延出している棚板３３ｂ（３４ｂ）の端部に凹部を設け、棚板３３（３４）に載せるように構成してもよい。また、前記凹部の代わりに、棚板３３ｂ（３４ｂ）の端部に断面L字型の金物を取り付け、棚板３３（３４）に載せるように構成してもよい。
【００４３】
なお、図１〜図４において、収納家具３０，３０ａ，３０ｂは、洗面台１０の上に載せてあるが、洗面台の横に設置してもよい。
【符号の説明】
【００４４】
１ａ，１ｂ    内壁
１ｃ   外壁
１０   洗面台
２０   洗濯機
３０，３０ａ  収納家具
３１， 天板
３３，３４，３５     棚板
４０   支持材
１００ 洗面所
【図１】
0005762936.tif 000002
【図２】
0005762936.tif 000003
【図３】
0005762936.tif 000004
【図４】
0005762936.tif 000005
【図５】
0005762936.tif 000006